(57)【要約】【課題】  防塵性を保ちつつ放熱効果に優れたコンピュータケースを提供すること。【解決手段】  パネル部に一の孔における開口面積を0.5mm2から7.5mm2とする透孔を複数設ける。【選択図】  図１
0003104838.tif 000002
【実用新案登録請求の範囲】
【請求項１】
内部にコンピュータシステムを収容する空間を区画するフレーム部と、前記フレーム部により区画した空間を閉塞するパネル部を備えるコンピュータケースであって、
前記パネル部は、正面パネル、天面パネル、及び一対の側面パネルから構成し、
前記天面パネル及び一対の側面パネルのうち少なくとも一のパネルには開口面積を0.5mm2から7.5mm2までとする透孔を複数穿設されていることを特徴とする、
コンピュータケース。
【請求項２】
前記透孔による開口率は穿設するパネルの面積に対し70％以上90％以下であることを特徴とする前記請求項１に記載のコンピュータケース。
【請求項３】
前記複数のパネル部の少なくとも一のパネルに防塵フィルターを設けたことを特徴とする前記請求項１又は請求項２に記載のコンピュータケース。
【考案の詳細な説明】
【技術分野】
【０００１】
本考案はデスクトップ型のコンピュータケースに関するものである。
【背景技術】
【０００２】
デスクトップ型のコンピュータケースは、従来、内部に収容するコンピュータシステムへの外部からの埃など異物の侵入の防止と内部システムから発生する電磁波の外部への放射を防止するためパネル部分に開口部をほとんど設けない密閉型の構造を採用することが一般的である。
また、内部熱源から発生する発熱対策として大風量を発生させる大型の冷却ファンや複数個の冷却ファンを同時に使用するなどして熱を外部に逃がす方式が採用されているのが一般的である。
【考案の開示】
【考案が解決しようとする課題】
【０００３】
前記した従来のデスクトップ型のコンピュータケースにあっては、次のような問題点がある。
従来のデスクトップ型のコンピュータケースによれば、密閉構造により外部からの埃の進入を防止することができる。
しかし、従来のデスクトップ型のコンピュータケースでは、高性能なＣＰＵ（中央処理装置）などを採用するコンピュータシステムを組み込むと耳障りな騒音が発生し易いという問題点がある。すなわち、従来のデスクトップ型のコンピュータケースは密閉構造であるがため熱が篭り易い。そこで、ケース内部で発生した熱を外部に逃がすためには冷却用のファンにより所定の方向に向けた気流を作り出すことが必要となるが、近年のＣＰＵ等の急速な高性能化は発熱量の増大を伴い、冷却用ファンの大型化や複数個の同時使用を必要とするも、この冷却用ファンの大型化等により騒音の大型化を招いているという問題がある。
コンピュータの冷却用ファンより発せられる騒音は使用者の作業に支障をきたす場合があるため、その騒音の改善が求められている。
コンピュータに水冷式などのファンレス式冷却システムを採用して騒音を削減することも考えられるが、パーソナルユースとしてはコストが非常に高くなるといった問題がある。
【課題を解決するための手段】
【０００４】
上記のような問題を解決するために、本考案のコンピュータケースは、内部にコンピュータシステムを収容する空間を区画するフレーム部と、前記フレーム部により区画した空間を閉塞するパネル部を備えるコンピュータケースであって、前記パネル部は、正面パネル、天面パネル、及び一対の側面パネルから構成し、前記天面パネル及び一対の側面パネルのうち少なくとも一のパネルには開口面積を0.5mm2から7.5mm2までとする透孔が複数個穿設されていることを特徴とするコンピュータケースを提供するものである。
【０００５】
また、前記透孔による開口率は穿設するパネルの面積に対し70％以上90％以下として構成することもできる。
【０００６】
また、コンピュータケースを構成する複数のパネル部の少なくとも一のパネルに防塵フィルターを設けて構成することもできる。
【考案の効果】
【０００７】
本考案のコンピュータケースは、上記した課題を解決するための手段により、次のような効果を得ることができる。すなわち、天面パネル又は一対の側面パネルのうち少なくとも一のパネルに一の孔における開口面積を0.5mm2から7.5mm2とする透孔を複数設けたことにより、外部からの異物の侵入を防止し、かつ、パソコンケース内で発生した電磁波の漏洩を防止しながら、パソコンケース内の熱源から生じた熱をコンピュータケース外に効率的に排出することができる。
また、前記排熱効果によりコンピュータケースに取り付ける冷却ファンの小型化を図ることができるため、コンピュータの騒音を少なくすることができる。
【０００８】
また、前記パネルに穿設する複数の透孔による開口率を当該パネルの面積に対し70％以上90％以下として構成することにより、冷却ファンの大型化等を伴わずに発熱量の多いＣＰＵ（中央処理装置）や記憶装置に対応した排熱をすることができる。
【０００９】
また、コンピュータケースを構成する複数のパネル部のうち少なくとも一のパネルに防塵フィルターを設けることにより、外部からのパソコンケース内への異物の侵入をより効果的に防止することができる。
【考案を実施するための最良の形態】
【００１０】
以下、本発明について図面を参照した実施の形態により詳細に説明する。図１は、本考案によるコンピュータケースの一形態を斜視図として示している。図２は、コンピュータケースの分解した状態を斜視図として示している。
【００１１】
＜１＞コンピュータケースの構成
本考案のコンピュータケース１は、その内部にコンピュータシステムを収容する空間を区画するフレーム部２と、前記フレーム部により区画した空間を閉塞する複数のパネル部３などから構成する。
【００１２】
＜２＞フレーム部
フレーム部２は、底面台２１、底面台の後方端縁に取り付ける背面支持部２２、底面台の前方端に取り付ける一対の縦支持体２３、及び前記背面支持部２２と前記縦支持体２３の間に掛け渡す横支持体２４などから構成する。
フレーム部２により区画する空間内に収容されるコンピュータシステムは規格化されており、その規格内で電源ユニット４、各種デバイス機器を収納するベイフレーム５（５１,５２,５３）、冷却ファン６、及びに図示しないＣＰＵ（中央処理装置）などを配置した基板類などの配置変更を自由に行うことが可能である。
【００１３】
＜３＞パネル部
パネル部３は正面パネル３１、天面パネル３２、及びに一対の側面パネル３３,３４とから構成する。
パネル部３を構成する各パネル３１，３２，３３は、夫々のパネルに形成した凸部３５と、フレーム部に形成した前記凸部に対応する凹部とを嵌合させると共に、フレーム部の背面部２２にネジ止めして一体化する。
パネル部３を構成する天面パネル３２及び一対の側面パネル３３，３４のうち、少なくとも一のパネルに複数の透孔３６を穿設する。
【００１４】
前記パネル部３に形成する複数の透孔３６は、ケース内で発生した電磁波の外部への漏洩を防止し、ケース内部で発生した熱の効果的な排出を可能とすることを目的として形成するものである。
透孔３６は、排熱作用とケース内への外部からの異物の侵入を抑制とを両立させるため、一の透孔における開口面積を0.5mm2から7.5mm2までの範囲とするのが好適である。前記範囲の開口面積の透孔３６を複数設けることにより、コンピュータケースとしての牢堅性を担保しながらも通気性の向上及びに軽量化を図ることができる。
透孔３６の開口形状は円形の他、方形、三角形などの多角形を採用することもできる。
【００１５】
また、パネル部３における透孔３６の開口率をパネル部３の各パネル３２,３３,３４の面積に対し70％以上90％以下とした場合には非常に高い効率による自然換気を実現することができる。透孔３６を各図に示すように規則的に穿設することにより開口率を70％以上90％以下とした場合にもパソコンケースの強度を担保することが可能である。
【００１６】
以上の構成からなるパソコンケース１によれば、冷却ファン６によりケース内に気流の循環が開始されると、パネル部３の透孔３６から多量の空気が外部より流入するためケース内で発生した熱を効率的に排出して冷却することができる。
【００１７】
［他の実施の形態］
図２において示すように例えばパネル部３（３３）の裏側に複数の透孔３６に対応する位置にフィルター７を取り付けることもできる。本形態においてフィルター７はその端縁部７１を側面パネル３３の背面側にネジ止めして取り付けるが、嵌合など他の公知の取り付け手法を用いても良い。
フィルター７は、不織布や樹脂製のものの他、取り付けるパネルに穿設した透孔よりも小さな孔の網目で構成すると好適である。
フィルター７を取り付けることにより開口率を高めて透孔２６を穿設した場合であっても、防塵性を犠牲にすることなく高い通気性による排熱効果を奏することが可能となる。
【図面の簡単な説明】
【００１８】
【図１】本考案に係るコンピュータケースの一形態を示す斜視図。
【図２】本考案に係るコンピュータケースの分解した状態を示す斜視図。
【符号の説明】
【００１９】
１・・・コンピュータケース
２・・・フレーム部
２１・・底面部
２２・・背面部
２３・・縦支持体
２４・・横支持体
２５・・凹部
３・・・パネル部
３１・・正面パネル
３２・・天面パネル
３３・・側面パネル
３４・・側面パネル
３５・・凸部
３６・・透孔
４・・・電源ユニット
５・・・ベイフレーム
６・・・冷却ファン
７・・・フィルター
【図１】
0003104838.tif 000003
【図２】
0003104838.tif 000004
【手続補正書】
【提出日】平成16年4月28日(2004.4.28)
【手続補正１】
【補正対象書類名】図面
【補正対象項目名】全図
【補正方法】変更
【補正の内容】
【図１】
0003104838.tif 000005
【図２】
0003104838.tif 000006